(57)【要約】      （修正有）【課題】２線の信号線を経由して接続される端末間で音声信号の長距離による送受信を行うにあたって、帰還量を小さく抑えてハウリングの発生を防止し、良好な通話品質の確保を可能とする。【解決手段】２線の信号線Ｌ1、Ｌ2を経由して接続される第１、第２の端末１、２間で音声信号の長距離による送受信を行うにあたり、当該信号線の容量成分が増大することによって発生する自端末の信号Ｓ11の帰還量を、その強度に応じて送話音声信号Ｓ10で打消す際の調整として、インターホンシステムの施工時や当該システムの構成変更時において帰還量打消回路１１の帰還量調整回路１１１で所定の調整工程を実行し、その調整精度を高めるとともに、打消後の出力信号Ｓ12の高周波帯域成分を除去する。【選択図】図１
2012054628.tif 000002
【特許請求の範囲】
【請求項１】
第１の端末（Ｔ1）及び第２の端末（Ｔ2）間を２線の信号線（Ｌ1、Ｌ2）を経由して接続し、前記信号線を経由して音声信号を送受信して通話を成立させるインターホンシステムであって、
前記第１の端末は、前記２線の信号線に送出する第１の送話音声信号（Ｓ10）を増幅するとともに前記２線の信号線を経由して前記第２の端末から伝送されてくる第２の送話音声信号（Ｓ20）が入力される差動増幅器（１００ａ、１００ｂ）を有する送信回路（１００）と、前記送信回路における前記第１、第２の送話音声信号が入力されて前記第２の送話音声信号のみを抽出するとともに前記２線の信号線に重畳されたノイズ成分を除去するための受信回路（１０１）とを有し、前記２線の信号線との間で２線／４線変換を行うためのハイブリッド回路（１０）とを備え、
前記第１の受信回路の出力側には、前記２線の信号線の容量成分が増大することにより発生する自端末の信号の帰還量を、その強度に応じて前記第１の送話音声信号で打消すように当該第１の送話音声信号を振幅調整、位相調整及び周波数調整のうち少なくとも１つを実行するための帰還量打消回路（１１）が接続され、
前記第１の送信回路の入力側には、前記帰還量打消回路にて実行される前記調整に必要な周波数のテスト信号（ｆＨ、ｆＬ）を生成するための発振回路（１３）がスイッチ（１４）を経由して接続され、前記スイッチは、前記通話の成立時又は前記調整時の相違に対応させて前記第１の送話音声信号又は前記テスト信号の信号伝送路を形成することを特徴とするインターホンシステム。
【請求項２】
前記帰還量打消回路は、前記信号線の長さによって変化する当該信号線の２線間の容量成分に比例した信号レベルの前記受信回路からの出力信号（Ｓ11）より前記第１の送話音声信号を減算するための減算回路（１１０）と、前記出力信号の信号レベルが前記第１の送話音声信号で打消されるように当該第１の送話音声信号で前記帰還量を打ち消すための帰還量打消信号（Ｓ111）を前記減算回路に送出するための帰還量調整回路（１１１）とを有し、
前記帰還量調整回路は、前記調整時において前記発振回路にて生成される高周波数テスト信号（ｆＨ）の振幅を調整し、前記帰還量が最小となるポイントを探索・固定するための第１の調整機能と、前記振幅が調整された前記高周波数テスト信号の位相を調整し、前記帰還量が最小となるポイントを探索・固定するための第２の調整機能と、前記発振回路にて生成される低周波数テスト信号（ｆＬ）の振幅及び位相を調整し、前記帰還量が最小となるポイントを探索・固定するための第３の調整機能とを有し、前記第３の調整機能の実行後、前記第１の調整機能、前記第２の調整機能を再度実行することを特徴とする請求項１記載のインターホンシステム。
【請求項３】
前記第２の端末は、前記信号線に接続され前記第２の送話音声信号が入力される電圧制御差動電流源で構成される送信回路（２００）と、前記信号線に接続され第２の受話音声信号（Ｓ6）を出力するための受信回路（２０１）とを有し、前記２線の信号線との間で２線／４線変換を行うためのハイブリッド回路（２０）を備えることを特徴とする請求項１又は請求項２記載のインターホンシステム。
【請求項４】
前記帰還量打消回路からの出力信号（Ｓ12）の高周波帯域成分を除去するためのフィルタ回路（１２）を備えることを特徴とする請求項１乃至請求項３のうち何れか１項記載のインターホンシステム。
【発明の詳細な説明】
【技術分野】
【０００１】
本発明は、インターホンシステムに係り、特に、２線の信号線を経由して接続される端末間で音声信号を送受信するにあたって、この音声信号の長距離伝送及び良好な通話品質の確保が可能なインターホンシステムに関する。
【背景技術】
【０００２】
従来から、この種のインターホンシステムとして、主装置及び端末間を接続する２線平衡ケーブルを経由して長距離の音声送受（音声信号の送受信）を行うにあたり、この音声送受を低コストで実現できる平衡型音声送受信回路が開示されている（例えば、特許文献１を参照。）。
【先行技術文献】
【特許文献】
【０００３】
【特許文献１】特許第３４４２２２７号公報
【発明の概要】
【発明が解決しようとする課題】
【０００４】
しかしながら、背景技術に記載した従来例の平衡型音声送受信回路において、主装置から２線平衡ケーブルを経由して端末への音声信号の伝送は、電圧振幅による信号伝送の態様が適用されているため、主装置からの送話音声信号を自装置の受信回路で打消すようなハイブリッド回路を用いるにあたっても、線路長が長くなるほど増大する２線平衡ケーブルの容量成分によって、自装置の信号の帰還が少なからず発生し、この帰還量の増大に伴うハウリングの影響で通話品質が低下する難点があった。
【０００５】
本発明は、この難点を解消するためになされたもので、２線の信号線を経由して接続される端末間で音声信号の長距離による送受信を行うにあたり、当該信号線の容量成分が増大することによって発生する自端末の信号の帰還量を、その強度に応じて送話音声信号で打消す際の調整機能を設け、その調整精度を高めることにより、帰還量を小さく抑えてハウリングの発生を防止し、良好な通話品質の確保が可能なインターホンシステムを提供することを目的としている。
【課題を解決するための手段】
【０００６】
前述の目的を達成するため、本発明の第１の態様であるインターホンシステムは、第１の端末及び第２の端末間を２線の信号線を経由して接続し、信号線を経由して音声信号を送受信して通話を成立させる当該システムである。第１の端末は、２線の信号線に送出する第１の送話音声信号を増幅するとともに２線の信号線を経由して第２の端末から伝送されてくる第２の送話音声信号が入力される差動増幅器を有する送信回路と、送信回路における第１、第２の送話音声信号が入力されて第２の送話音声信号のみを抽出するとともに２線の信号線に重畳されたノイズ成分を除去するための受信回路とを有し、２線の信号線との間で２線／４線変換を行うためのハイブリッド回路とを備えている。第１の受信回路の出力側には、２線の信号線の容量成分が増大することにより発生する自端末の信号の帰還量を、その強度に応じて第１の送話音声信号で打消すように当該第１の送話音声信号の振幅調整、位相調整及び周波数調整のうち少なくとも１つを実行するための帰還量打消回路が接続されている。第１の送信回路の入力側には、帰還量打消回路にて実行される調整に必要な周波数のテスト信号を生成するための発振回路がスイッチを経由して接続され、スイッチは、通話の成立時又は調整時の相違に対応させて第１の送話音声信号又はテスト信号の信号伝送路を形成するものである。
【０００７】
また、本発明の第２の態様であるインターホンシステムは、本発明の第１の態様において、帰還量打消回路は、信号線の長さによって変化する当該信号線の２線間の容量成分に比例した信号レベルの受信回路からの出力信号より第１の送話音声信号を減算するための減算回路と、出力信号の信号レベルが第１の送話音声信号で打消されるように当該第１の送話音声信号で帰還量を打消すための打消信号を減算回路に送出するための帰還量調整回路とを有している。帰還量調整回路は、調整時において発振回路にて生成される高周波数テスト信号の振幅を調整し、帰還量が最小となるポイントを探索・固定するための第１の調整機能と、振幅が調整された高周波テスト信号の位相を調整し、帰還量が最小となるポイントを探索・固定するための第２の調整機能と、発振回路にて生成される低周波テスト信号の振幅及び位相を調整し、帰還量が最小となるポイントを探索・固定するための第３の調整機能とを有し、第３の調整機能の実行後、第１の調整機能、第２の調整機能を再度実行するものである。
【０００８】
また、本発明の第３の態様であるインターホンシステムは、本発明の第１の態様又は第２の態様において、第２の端末は、信号線に接続され第２の送話音声信号が入力される電圧制御差動電流源で構成される送信回路と、信号線に接続され第２の受話音声信号を出力するための受信回路とを有し、２線の信号線との間で２線／４線変換を行うためのハイブリッド回路を備えている。ことを特徴とする請求項１又は請求項２記載のインターホンシステム。
【０００９】
また、本発明の第４の態様であるインターホンシステムは、本発明の第１の態様乃至第３の態様のうち何れか１の態様において、帰還量打消回路からの出力信号の高周波帯域成分を除去するためのフィルタ回路を備えている。
【発明の効果】
【００１０】
本発明のインターホンシステムによれば、２線の信号線を経由して接続される第１、第２の端末間で音声信号の長距離による送受信を行うにあたり、当該信号線の容量成分が増大することによって発生する自端末の信号の帰還量を、その強度に応じて送話音声信号で打消す際の調整として、インターホンシステムの施工時や当該システムの構成変更時において帰還量打消回路の帰還量調整回路で所定の調整工程を実行し、その調整精度を高めるとともに、打消後の出力信号の高周波帯域成分を除去することにより、帰還量が小さく抑えられ、ハウリングの発生を防止した良好な通話品質が確保される。
【図面の簡単な説明】
【００１１】
【図１】図１は、本発明の実施例によるインターホンシステムの具体的な構成を示す回路ブロック図である。
【図２】図２（Ａ）、（Ｂ）、（Ｃ）はそれぞれ、本発明の実施例によるインターホンシステムにおいて、（第１の端末の帰還量打消回路の）帰還量調整回路にて実行される調整工程の周波数特性を示すグラフ図である。
【図３】図３は、本発明の実施例によるインターホンシステムにおいて適用される調整アルゴリズムを示すフローチャート図である。
【図４】図４（Ａ）、（Ｂ）、（Ｃ）はそれぞれ、本発明の実施例によるインターホンシステムにおいて、帰還量打消後の音声信号の周波数特性を示すグラフ図である。
【発明を実施するための形態】
【００１２】
以下、本発明のインターホンシステムを適用した最良の実施の形態例について、図面を参照して説明する。
【００１３】
図１は、本発明の実施例によるインターホンシステムの具体的な構成を示す回路ブロック図であり、第１の端末１及び第２の端末２が２線の信号線Ｌ1、Ｌ2を経由して接続され、この信号線Ｌ1、Ｌ2を経由して音声信号を送受信させることで通話を行う当該システムである。ここで、２線の信号線Ｌ1、Ｌ2としては、例えば、２線平衡ケーブルが好適とされる。
【００１４】
次に、第１の端末１の構成について説明するにあたり、この第１の端末１には、２線の信号線Ｌ1、Ｌ2との間で２線／４線変換を行うためのハイブリッド回路（以下、第１のハイブリッド回路という。）１０と、第１のハイブリッド回路１０を構成する後述の受信回路（以下、第１の受信回路という。）１０１の出力側に接続される帰還量打消回路１１と、帰還量打消回路１１の出力側に接続されるフィルタ回路１２と、帰還量打消回路１１を構成する後述の帰還量調整回路１１１にて実行される後述する第１の送話音声信号Ｓ10の振幅調整、位相調整及び周波数調整のうち、少なくとも１つの調整に必要な周波数のテスト信号（以下、高周波テスト信号／低周波テスト信号という。）ｆＨ／ｆＬを生成するための発振回路１３と、発振回路１３から第１のハイブリッド回路１０を構成する後述の送信回路（以下、第１の送信回路という。）１００の入力側及び帰還量調整回路１１１への信号伝送路、又は、図示しない例えば、マイクから第１の送信回路１００及び発振回路１３から帰還量調整回路１１１への信号伝送路を切換えて形成するためのスイッチ１４と、通話の成立時又は前述の調整時の相違に対応して操作される操作ボタン１５と、操作ボタン１５の操作の有無を検出し、通話の成立時又は調整時の相違に対応させて発振回路１３をオフ状態又はオン状態に制御するとともに、スイッチ１４を切換えて第１の送話音声信号Ｓ10又はテスト信号（高周波テスト信号／低周波テスト信号）ｆＨ／ｆＬの信号伝送路を形成するための制御回路１６とが備えられている。
【００１５】
この第１の端末１において、第１のハイブリッド回路１０は、当該第１の端末の使用者による送話音声である第１の送話音声信号Ｓ10を増幅するための（２つの）差動増幅器（以下、それぞれ、（＋）側差動増幅器、（−）側差動増幅器という。）１００ａ、１００ｂ、（＋）側、（−）側の各差動増幅器１００ａ、１００ｂからの差動出力信号を２線の信号線Ｌ1、Ｌ2に送出するとともに、２線の信号線Ｌ1、Ｌ2を経由して伝送されてくる第２の端末２の使用者による送話音声である第２の送話音声信号Ｓ20を抽出するための（２つの）出力抵抗（以下、それぞれ、（＋）側出力抵抗、（−）側出力抵抗という。）１００ｃ、１００ｄを備えた送信回路（以下、第１の送信回路という。）１００と、第１の送信回路１００における第１、第２の各送話音声信号Ｓ10、Ｓ20が入力されて当該第２の送話音声信号のみを抽出し、帰還量打消回路１１の後述する減算回路１１０に送出するための第１の受信回路１０１とを有している。
【００１６】
ここで、第１の送信回路１００を構成する（＋）側、（−）側の各差動増幅器１００ａ、１００ｂ及び（＋）側、（−）側の各出力抵抗１００ｃ、１００ｄと第１の受信回路１０１との間の具体的な接続の態様として、（＋）側差動増幅器１００ａの出力側には、（＋）側出力抵抗１００ｃを経由して２線の信号線Ｌ1、Ｌ2のうち一方の信号線Ｌ1が接続されており、この（＋）側出力抵抗１００ｃの両端に設けられる出力端子Ｐ10、Ｐ11には、第１の受信回路１０１の入力側が接続されている。また、（−）側差動増幅器１００ｂの出力側には、（−）側出力抵抗１００ｄを経由して２線の信号線Ｌ1、Ｌ2のうち他方の信号線Ｌ2が接続されており、この（−）側出力抵抗１００ｄの両端に設けられる出力端子Ｐ12、Ｐ13には、第１の受信回路１０１の入力側が接続されている。
【００１７】
また、帰還量打消回路１１は、２線の信号線Ｌ1、Ｌ2の容量成分が増大することにより発生する自端末の信号の帰還量を、その強度に応じて第１の送話音声信号Ｓ10で打消すためのものであり、信号線Ｌ1、Ｌ2の長さによって変化する当該信号線の２線間の容量成分に比例した信号レベルである第１の受信回路１０１からの出力信号Ｓ11より第１の送話音声信号Ｓ10を減算するための減算回路１１０と、出力信号Ｓ11の信号レベルが第１の送話音声信号Ｓ10で打消されるように、テスト信号（高周波テスト信号／低周波テスト信号）ｆＨ／ｆＬの振幅調整、位相調整及び周波数調整について、後述する所定の調整工程（図３のフローチャート図）で実行するための帰還量調整回路１１１とを有している。
【００１８】
この帰還量調整回路１１１は、調整時において発振回路１３にて生成される高周波テスト信号ｆＨの振幅を調整し、帰還量が最小となるポイントを探索・固定する第１の調整機能と、第１の調整機能により振幅が調整された高周波テスト信号ｆＨの位相を調整し、帰還量が最小となるポイントを探索・固定するための第２の調整機能と、第２の調整機能の実行後、発振回路１３にて生成される低周波テスト信号ｆＬの振幅及び位相を調整し、帰還量が最小となるポイントを探索・固定するための第３の調整機能とを有しており、第３の調整機能の実行後、第１の調整機能、第２の調整機能を再度実行することができる。
【００１９】
さらに、フィルタ回路１２は、帰還量打消回路１１（の減算回路１１０から）の出力信号Ｓ12の高周波帯域成分を除去するためのものであり、例えば、ＬＰＦやＢＰＦが好適とされる。
【００２０】
次に、第２の端末２の構成について説明するにあたり、この第２の端末２には、２線の信号線Ｌ1、Ｌ2との間で２線／４線変換を行うためのハイブリッド回路（以下、第２のハイブリッド回路という。）２０が備えられている。
【００２１】
第２のハイブリッド回路２０は、２線の信号線Ｌ1、Ｌ2に接続されており、当該第２の端末の使用者による送話音声である第２の送話音声信号Ｓ20が入力され電圧制御差動電流源で構成される送信回路（以下、第２の送信回路という。）２００と、２線の信号線Ｌ1、Ｌ2に接続され、当該第１の端末の使用者による送話音声である第２の受話音声信号Ｓ21を出力するための受信回路（以下、第２の受信回路という。）２０１とを有している。
【００２２】
ここで、２線の信号線Ｌ1、Ｌ2と第２の送信回路２００及び第２の受信回路２０１との間の具体的な接続の態様として、第２の送信回路２００の出力側には２線の信号線Ｌ1、Ｌ2が接続されており、この信号線Ｌ1、Ｌ2上の出力端子Ｐ20、Ｐ21には、第２の受信回路２０１の入力側が接続されている。
【００２３】
このように構成された本発明の実施例によるインターホンシステムにおいて、以下、具体的な動作について説明する。
【００２４】
例えば、図１に示すインターホンシステムの施工時や当該システムの構成変更時において、第２の端末２の使用者による送話音声である第２の送話音声信号Ｓ20を、２線の信号線Ｌ1、Ｌ2を経由して第１の端末１に送信するにあたり、第２のハイブリッド回路２０を構成する第２の送信回路２００は電圧制御電流源の構成であるため、第２の送話音声信号Ｓ20を電圧信号から電流信号に変換した後、２線の信号線Ｌ1、Ｌ2へ差動出力する。これにより、信号線Ｌ1、Ｌ2の線路長が長くなり２線間の容量成分が増大した場合であっても、その影響を受け難く安定した信号伝送が可能となる。
【００２５】
また、第２の端末２によれば、第２のハイブリッド回路２０を構成する第２の送信回路２００の出力が電流信号であるため、２線の信号線Ｌ1、Ｌ2及び当該信号線上の出力端子Ｐ20、Ｐ21と、第１の端末１の第１のハイブリッド回路１０を構成する第１の送信回路１００内の出力端子Ｐ11、Ｐ13とにはそれぞれ、電圧信号に起因した信号振幅が現れることはなく電流信号として現れる一方、信号振幅は、（＋）側、（−）側の各差動増幅器１００ａ、１００ｂの出力側である出力端子Ｐ10、Ｐ12に現れることになる。
【００２６】
また、第１の端末１によれば、自端末１の使用者による送話音声である第１の送話音声信号Ｓ10が、スイッチ１４、第１のハイブリッド回路１０を構成する第１の送信回路１００の（＋）側差動増幅器１００ａ、（−）側差動増幅器１００ｂを経由して第１の受信回路１０１に伝送され、第１の受信回路１０１からの出力信号Ｓ11のレベル、例えば、振幅レベルは、図２（Ａ）のグラフ図に実線で示すように、信号線Ｌ1、Ｌ2の長さによって変化する当該信号線の２線間の容量成分に比例した当該レベルとなるため、この出力が自端末の信号の帰還量となり、ハウリングが発生する虞がある。
【００２７】
そこで、２線の信号線Ｌ1、Ｌ2の容量成分が増大することにより発生する自端末の信号の帰還量を、その強度に応じて第１の送話音声信号Ｓ10で打消すように当該第１の送話音声信号を振幅調整、位相調整及び周波数調整するにあたって、例えば、前述の施工・構成変更を行う人物であるシステム管理者が、第１の端末１の操作ボタン１５を操作する、或いは予め操作していると、この操作を検出した制御回路１６は、発振回路１３にて例えば、３ｋＨｚ〜１０ｋＨｚの正弦波である高周波テスト信号ｆＨを生成させるとともにスイッチ１４を切換え、発振回路１３からの高周波テスト信号ｆＨを、スイッチ１４を経由して帰還量打消回路１１の帰還量調整回路１１１に送出する（ステップＳＴ1、ＳＴ2）。
【００２８】
第１の端末１において、帰還量打消回路１１の帰還量調整回路１１１は、受信した高周波テスト信号ｆＨの振幅を調整する、すなわち、図２（Ａ）のグラフ図に示すように、位相を固定した状態で振幅を調整して、帰還量が最小となるポイントを探索・固定し（ステップＳＴ3）、その後、振幅が調整された高周波テスト信号ｆＨの位相を調整（図２（Ｂ）を参照。）する、すなわち、図２（Ｂ）のグラフ図に示すように、振幅を固定した状態で位相を調整して帰還量が最小となるポイントを探索・固定する（ステップＳＴ4）。なお、帰還量調整回路１１１によれば、前述の位相の調整（ステップＳＴ4）後のタイミングにおいて、高周波テスト信号ｆＨの周波数帯域のうち、例えば、３ｋＨｚ〜１０ｋＨｚの高周波数帯域を調整する、すなわち、振幅及び位相を変化させて帰還量が最小となるポイントを探索・固定することもできる。
【００２９】
この後、第１の端末１の制御回路１６は、発振回路１３におけるテスト信号の生成を、高周波テスト信号ｆＨから例えば、５００Ｈｚ〜２ｋＨｚの正弦波である低周波テスト信号ｆＬに切換え、スイッチ１４を経由して帰還量打消回路１１の帰還量調整回路１１１に送出する（ステップＳＴ5）。
【００３０】
第１の端末１において、帰還量打消回路１１の帰還量調整回路１１１は、端末の接続台数等の理由により２線の信号線Ｌ1、Ｌ2上のインピーダンスが低下し、帰還量が低域周波数帯域で増加する特性に鑑み、受信した低周波テスト信号ｆＬの周波数帯域のうち、例えば、５００Ｈｚ〜２ｋＨｚの低周波数帯域を調整する、すなわち、図２（Ｃ）のグラフ図に示すように、振幅及び位相を変化させて帰還量が最小となるポイントを探索・固定する（ステップＳＴ6）。
【００３１】
この後、第１の端末１の制御回路１６は、発振回路１３におけるテスト信号の生成を、低周波テスト信号ｆＨから高周波テスト信号ｆＨに再度切換え、スイッチ１４を経由して帰還量打消回路１１の帰還量調整回路１１１に送出する（ステップＳＴ7）。
【００３２】
第１の端末１において、帰還量打消回路１１の帰還量調整回路１１１は、前述の低周波テスト信号ｆＬの周波数調整時に発生する例えば、３ｋＨｚ〜１０ｋＨｚの高周波帯域の特性のズレを抑えるため、受信した高周波テスト信号ｆＨの振幅を再度調整して帰還量が最小となるポイントを探索・固定し（ステップＳＴ8）、その後、振幅が調整された高周波テスト信号ｆＨの位相を再度調整して帰還量が最小となるポイントを探索・固定する（ステップＳＴ9）。なお、前述の位相の調整（ステップＳＴ9）後のタイミングにおいて、高周波テスト信号ｆＨの周波数帯域のうち、例えば、３ｋＨｚ〜１０ｋＨｚの高周波数帯域を周波数調整する、すなわち、振幅及び位相を変化させて帰還量が最小となるポイントを探索・固定することもできる。
【００３３】
この後、第１の端末１の制御回路１６は、発振回路１３における高周波テスト信号ｆＨの生成を停止するとともに、スイッチ１４を切換え、発振回路１３から帰還量打消回路１１の帰還量調整回路１１１への信号伝送路を遮断する、すわなち、第１の送話音声信号Ｓ10による第１のハイブリッド回路１０の第１の送信回路１００への信号伝送路を形成する（ステップＳＴ10）。
【００３４】
また、第１の端末１において、帰還量打消回路１１の帰還量調整回路１１１は、前述のような最小の帰還量であるポイントデータをもとに第１の送話音声信号Ｓ10を信号処理して帰還量打消信号Ｓ111を生成し、自回路の例えば、不揮発性メモリに保存する、及び／又は制御回路１６の例えば、不揮発性メモリに転送して保存することができ、この保存動作は任意であり、当該保存動作によれば、帰還量打消信号Ｓ111（の波形）がノイズ等によって変動したり、停電等の電源異常が発生した場合であっても、短時間での復帰が容易となる（ステップＳＴ11、ＳＴ12）。
【００３５】
次に、前述までの調整工程を実行した後、第１の端末１の帰還量打消回路１１において、減算回路１１１は、帰還量調整回路１１１にて生成され必要に応じて適宜、保存された帰還量打消信号Ｓ111で第１の受信回路１０１からの出力信号Ｓ11を打消す。ここで、例えば、最小の帰還量であるポイントの初期設定と最適な設定との差が大きい場合には、図３（Ａ）のグラフ図に示すように調整が不十分な出力信号Ｓ12となるため、帰還量調整回路１１０は、前述のステップＳＴ5〜ＳＴ9の調整工程を繰り返すことにより、図３（Ｂ）のグラフ図に示すように、帰還量が十分に打消された出力信号Ｓ12をフィルタ回路１２に送出することができる。
【００３６】
また、第１の端末１のフィルタ回路１２は、帰還量打消回路１１（の減算回路１１０）からの出力信号Ｓ12の波形に、音声周波数帯域よりも高い例えば、１０ｋＨｚを越える帯域、又は当該音声周波数帯域よりも低い例えば、１００Ｈｚの帯域で調整し切れなかった周波数成分が雑音として残存している場合には、この帯域成分を容易に除去することができ、フィルタ回路１２からの出力信号Ｓ13は、音声周波数帯域に影響を与えない当該信号となり、ゆえに、第１の端末１においてハウリングが発生することもなく、良好な通話品質が確保される。
【００３７】
一方、第２の端末２によれば、第２のハイブリッド回路２０を構成する第２の送信回路２００の出力が電流信号であるため、２線の信号線Ｌ1、Ｌ2及び当該信号線上の出力端子Ｐ20、P21は、第１の端末１側から高インピーダンスであると擬似され、第２の受信回路２０１には、第１の端末１からの第１の送話音声信号Ｓ10による信号振幅のみが現れることから、第２の送話音声信号Ｓ20が自端末の帰還信号とはならず、ゆえに、第２の端末２においてハウリングが発生することもなく、良好な通話品質が確保される。
【００３８】
前述の説明から明らかなように、本発明の実施例によれば、２線の信号線Ｌ1、Ｌ2を経由して接続される第１、第２の端末１、２間で音声信号の長距離による送受信を行うにあたり、当該信号線の容量成分が増大することによって発生する自端末の信号の帰還量を、その強度に応じて送話音声信号Ｓ10で打消す際の調整として、インターホンシステムの施工時や当該システムの構成変更時において所定の調整工程（ステップＳＴ1〜ＳＴ12）を実行し、その調整精度を高めるとともに、打消後の出力信号Ｓ12の高周波帯域成分を除去することにより、帰還量が小さく抑えられ、ハウリングの発生を防止した良好な通話品質が確保される。
【００３９】
なお、本発明の実施例によれば、通話の成立時又は調整時の相違に対応させて第１の端末１の発振回路１３をオフ状態又はオン状態に制御するとともに、スイッチ１４を切換えて第１の送話音声信号Ｓ10又はテスト信号（高周波テスト信号／低周波テスト信号）ｆＨ／ｆＬの信号伝送路を形成する制御回路１６のトリガとして、操作ボタン１５の操作の有無を適用したが、この態様に限定されるものではない。例えば、図１に示すように、第１の端末１への電源投入開始時、すなわち、制御回路１６への電源投入をトリガとして適用することもでき、この態様によれば、操作ボタン１５が不要となり当該第１の端末の構成が簡素化される。
【００４０】
最後に、本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【符号の説明】
【００４１】
１……第１の端末
１０……第１のハイブリッド回路（ハイブリッド回路）
１００……第１の送信回路（送信回路）
１００ａ……（＋）側差動増幅器（差動増幅器）
１００ｂ……（−）側差動増幅器（差動増幅器）
１０１……第１の受信回路（受信回路）
１１……帰還量打消回路
１１０……減算回路
１１１……帰還量調整回路
１２……フィルタ回路
１３……発振回路
１４……スイッチ
２……第２の端末
２０……第２のハイブリッド回路（ハイブリッド回路）
２００……第２の送信回路（送信回路）
２０１……第２の受信回路（受信回路）
Ｓ10……第１の送話音声信号
Ｓ11……（第１の受話回路からの）出力信号
Ｓ12……（帰還量打消回路からの）出力信号
Ｓ111……帰還量打消信号
Ｓ20……第２の送話音声信号
Ｓ21……第２の受話音声信号
【図１】
2012054628.tif 000003
【図２】
2012054628.tif 000004
【図３】
2012054628.tif 000005
【図４】
2012054628.tif 000006